(57)【要約】【課題】屈曲性に優れた多心平型移動ケーブルの耐ノイズ性を確保することのできるエレベータの乗かご内防犯カメラ装置の提供。【解決手段】カメラ２から映像信号を多心平型移動ケーブルのツイストペア腺９を介して映像記録機６に伝送するものであって、このツイストペア腺９の編組遮蔽線９ｂをカメラ２側のグラウンド２ｂおよび映像記録機６側のグラウンド６ｂのそれぞれに接続するとともに、絶縁被覆線心９ａ１を送信バッファ２ａおよび受信バッファ６ａのそれぞれに接続し、かつ絶縁被覆線心９ａ１と撚り合わされる絶縁被覆線心９ａ２を未接続とする。これにより擬似的な同軸ケーブルが形成されインバータノイズは編組遮蔽線９ｂで遮蔽されて絶縁被覆線心９ａ１へ誘導されることがなく良好なＳＮ比が得られる。【選択図】      図１
2004189466.tif 000002
【特許請求の範囲】
【請求項１】
乗かごに設置され映像出力端子を有するカメラと、昇降路内あるいは昇降路外に配設され前記カメラの映像信号を記録するとともに映像入力端子を有する映像記録機とを備え、前記カメラから前記映像信号を複数の伝送線が併設された多心平型移動ケーブルの映像信号伝送線を介して前記映像記録機に伝送するものであって、前記映像信号伝送線が、導体およびこの導体を覆う絶縁体を有する絶縁被覆線心と、この絶縁被覆線心と撚り合わされる他の線心と、撚り合わされた前記絶縁被覆線心および前記他の線心を覆う編組遮蔽線とを有して成るエレベータの乗かご内防犯カメラ装置において、
前記映像出力端子側のグラウンドが前記編組遮蔽線の一端に接続されるとともに、前記映像入力端子側のグラウンドが前記編組遮蔽線の他端に接続され、かつ前記映像出力端子が前記絶縁被覆線心の一端に接続されるとともに、前記映像入力端子が前記絶縁被覆線心の他端に接続され、また前記他の線心が未接続とされることを特徴とするエレベータの乗かご内防犯カメラ装置。
【請求項２】
乗かごに設置されるカメラおよびこのカメラの映像信号を記録するとともに映像出力端子を有する映像記録機と、昇降路内あるいは昇降路外に配設され映像入力端子を有する表示手段とを備え、前記映像記録機から前記映像信号を複数の伝送線が併設された多心平型移動ケーブルの映像信号伝送線を介して前記表示手段に伝送するものであって、前記映像信号伝送線が、導体およびこの導体を覆う絶縁体を有する絶縁被覆線心と、この絶縁被覆線心と撚り合わされる他の線心と、撚り合わされた前記絶縁被覆線心および前記他の線心を覆う編組遮蔽線とを有して成るエレベータの乗かご内防犯カメラ装置において、
前記映像出力端子側のグラウンドが前記編組遮蔽線の一端に接続されるとともに、前記映像入力端子側のグラウンドが前記編組遮蔽線の他端に接続され、かつ前記映像出力端子が前記絶縁被覆線心の一端に接続されるとともに、前記映像入力端子が前記絶縁被覆線心の他端に接続され、また前記他の線心が未接続とされることを特徴とするエレベータの乗かご内防犯カメラ装置。
【請求項３】
前記映像記録機に映像出力端子を備えるとともに、前記乗かご内に映像入力端子を有する他の表示手段を設け、前記多心平型移動ケーブルに併設される他の映像信号伝送線の一端を前記映像出力端子、その他端を前記映像入力端子に接続し、前記映像記録機から前記映像信号を前記他の表示手段に伝送することを特徴とする請求項１記載のエレベータの乗かご内防犯カメラ装置。
【発明の詳細な説明】
【０００１】
【発明の属する技術分野】
本発明は、エレベータの乗かご内防犯カメラ装置に係り、特に、映像信号が多心平型移動ケーブルを介して伝送されるエレベータの乗かご内防犯カメラ装置に関する。
【０００２】
【従来の技術】
近年、刑法犯の認知件数が増加の一途をたどり、なかでも路上でのひったくり、建物又は住居内での性犯罪、ピッキング用具使用の空き巣ねらい、強盗等が著しく増加するに至り、警視庁は安全・安心まちづくり推進要綱を制定し、安全に安心して暮らせる地域社会の構築を推進してきた。この動き中でビルやマンションのエレベータについては、乗かご内の防犯カメラ設置が特に実現に努めるべき事項として定められた。このため、エレベータの多くに防犯カメラが設置されるものと予想されている。そして防犯カメラ設置にあっては、防犯カメラの映像信号を映像記録機に送ったり、映像信号を表示手段に表示したりするため、何らかの映像信号伝送路を設ける必要がある。
【０００３】
このために、従来、ツイストペア線等の複数の伝送線を内在する多心平型ケーブルをエレベータの移動ケーブルとして用い、前記ツイストペア線が映像信号を送信するための信号伝送路として用いられている。エレベータで使用される移動ケーブルは、乗かごの移動に伴って屈曲、捻回等の各種の機械的作用を反復して受けることから優れた屈曲特性が要求されるが、この点、開示されているツイストペア線は撚り合わせ構造を有していることから屈曲性に優れており、移動ケーブルとして適している（特許文献１参照）。
【０００４】
ここで、多心平型ケーブルのツイストペア線を映像信号の信号伝送線として用いられた従来例を図に基づき説明する。
【０００５】
図７はエレベータの乗かご内防犯カメラ装置の主要構成を示す構成図、図８は乗かご内防犯カメラ装置に用いられる多心平型ケーブルの断面図、図９は多心平型ケーブルに備えられるツイストペア線の拡大断面図、図１０はツイストペア線の構成を示す断面図、図１１は従来のツイストペア線の接続を示す構成図である。
【０００６】
乗かご内防犯カメラ装置は図７に示すように、乗かご１に設置され映像出力端子を有するカメラ２と、制御盤３が設けられる昇降路４上部の機械室５に配設され映像入力端子を有する映像記録機６とを備え、カメラ２から映像信号を複数の伝送線が併設された多心平型移動ケーブル７を介して映像記録機６に伝送する。
【０００７】
前記の多心平型移動ケーブル７には図８に示すように、給電線や他の一般信号線が割付けられる集合心８と、映像信号を伝送するツイストペア線９とが併設されている。
【０００８】
また、前記のツイストペア線９は、図９に示すように導体９０およびこの導体９０を覆う絶縁体９１を備えた絶縁被覆線心９ａ１を有している。そして、図８、１０に示すように、前記のように構成される絶縁被覆線心９ａ１と他の絶縁被覆線心９ａ２が撚り合わされるとともに、この撚り合わされたそれぞれの絶縁被覆線心９ａ１、９ａ２を覆う編組遮蔽線９ｂと、この編組遮蔽線９ｂの外周を覆う保護用の被覆９ｃとから成っている。
【０００９】
そして、前記のツイストペア線９は図１１に示すように、カメラ２の映像出力端子、すなわち送信バッファ２ａがコネクタ１０を介して絶縁被覆線心９ａ１の一端に接続されるとともに、映像記録機６の映像入力端子、すなわち受信バッファ６ａがコネクタ１１を介して絶縁被覆線心９ａ１の他端に接続される。また、映像出力端子側のグラウンド２ｂがコネクタ１０を介して絶縁被覆線心９ａ２の一端に接続されるとともに、映像入力端子側のグラウンド６ｂがコネクタ１１を介して絶縁被覆線心９ａ２の他端に接続される。
【００１０】
【特許文献１】
特開平１１−１８５５４０号公報  （段落番号００１３、第３図）
【００１１】
【発明が解決しようとする課題】
ところで、エレベータの移動ケーブルではすべての伝送線にインバータノイズ、すなわちコモンモードノイズが誘導され、ツイストペア線９を構成するそれぞれの絶縁被覆線心９ａ１、９ａ２にも同レベルのコモンモードノイズが誘導される。しかし従来のように絶縁被覆線心９ａ２がグランド２ｂ、６ｂに接続されている状態で映像信号のような不平衡信号が絶縁被覆線心９ａ１を介して伝送されると、相対的に絶縁被覆線心９ａ１にノーマルノイズ電圧が現れ、映像信号の通信品質、すなわちＳＮ比を劣化させてしまう。特に、インバータ用のパワーデバイスは年々高速化されており、近年のインバータを用いたエレベータにあっては、インバータによる急峻な電圧変化によって移動ケーブルの伝送線に高レベルのノイズを誘導する現象が観測されており、通信品質が著しく劣化することが実験によっても確認されている。したがって、この問題は今後さらに顕著になってくるものと考えられる
本発明はこのような従来技術における実情に鑑みてなされたもので、その目的は、屈曲性に優れた多心平型移動ケーブルの耐ノイズ性を確保することのできるエレベータの乗かご内防犯カメラ装置を提供することにある。
【００１２】
【課題を解決するための手段】
この目的を達成するために本発明の請求項１に係る発明は、乗かごに設置され映像出力端子を有するカメラと、昇降路内あるいは昇降路外に配設され前記カメラの映像信号を記録するとともに映像入力端子を有する映像記録機とを備え、前記カメラから前記映像信号を複数の伝送線が併設された多心平型移動ケーブルの映像信号伝送線を介して前記映像記録機に伝送するものであって、前記映像信号伝送線が、導体およびこの導体を覆う絶縁体を有する絶縁被覆線心と、この絶縁被覆線心と撚り合わされる他の線心と、撚り合わされた前記絶縁被覆線心および前記他の線心を覆う編組遮蔽線とを有して成るエレベータの乗かご内防犯カメラ装置において、前記映像出力端子側のグラウンドが前記編組遮蔽線の一端に接続されるとともに、前記映像入力端子側のグラウンドが前記編組遮蔽線の他端に接続され、かつ前記映像出力端子が前記絶縁被覆線心の一端に接続されるとともに、前記映像入力端子が前記絶縁被覆線心の他端に接続され、また前記他の線心が未接続とされる構成にしてある。
【００１３】
本発明の請求項１に係る発明によれば、乗かごに映像出力端子を有するカメラが設置されるとともに、昇降路内あるいは昇降路外に映像入力端子を有する映像記録機が配設されたエレベータにあって、カメラから映像記録機に映像信号を伝送する多心平型移動ケーブルの映像信号伝送線は、絶縁被覆線心、他の線心および編組遮蔽線を有し成っている。そして、編組遮蔽線に映像出力端子側のグラウンドおよび映像入力端子側のグラウンドが接続されるとともに、絶縁被覆線心に映像出力端子および映像入力端子が接続され、かつ他の線心は未接続とされる。これにより擬似的な同軸ケーブルが形成されインバータノイズ、すなわちコモンモードノイズは編組遮蔽線で遮蔽されて絶縁被覆線心へ誘導されることがなく良好なＳＮ比が得られる。したがって優れた屈曲性をもつ撚り合せ構造の伝送線を映像信号伝送線として用いても耐ノイズ性を確保することができる。
【００１４】
また、本発明の請求項２記載に係る発明は、乗かごに設置されるカメラおよびこのカメラの映像信号を記録するとともに映像出力端子を有する映像記録機と、昇降路内あるいは昇降路外に配設され映像入力端子を有する表示手段とを備え、前記映像記録機から前記映像信号を複数の伝送線が併設された多心平型移動ケーブルの映像信号伝送線を介して前記表示手段に伝送するものであって、前記映像信号伝送線が、導体およびこの導体を覆う絶縁体を有する絶縁被覆線心と、この絶縁被覆線心と撚り合わされる他の線心と、撚り合わされた前記絶縁被覆線心および前記他の線心を覆う編組遮蔽線とを有して成るエレベータの乗かご内防犯カメラ装置において、前記映像出力端子側のグラウンドが前記編組遮蔽線の一端に接続されるとともに、前記映像入力端子側のグラウンドが前記編組遮蔽線の他端に接続され、かつ前記映像出力端子が前記絶縁被覆線心の一端に接続されるとともに、前記映像入力端子が前記絶縁被覆線心の他端に接続され、また前記他の線心が未接続とされる構成にしてある。
【００１５】
本発明の請求項２に係る発明によれば、乗かごにカメラおよび映像出力端子を有する映像記録機が設置されるとともに、昇降路内あるいは昇降路外に映像入力端子を有する表示手段が配設されたエレベータにあって、映像記録機から表示手段に映像信号を伝送する多心平型移動ケーブルの映像信号伝送線は、絶縁被覆線心、他の線心および編組遮蔽線を有し成っている。そして、編組遮蔽線に映像出力端子側のグラウンドおよび映像入力端子側のグラウンドが接続されるとともに、絶縁被覆線心に映像出力端子および映像入力端子が接続され、かつ他の線心は未接続とされる。これにより擬似的な同軸ケーブルが形成されインバータノイズ、すなわちコモンモードノイズは編組遮蔽線で遮蔽されて絶縁被覆線心へ誘導されることがなく良好なＳＮ比が得られる。したがって優れた屈曲性をもつ撚り合せ構造の伝送線を映像信号伝送線として用いても耐ノイズ性を確保することができる。
【００１６】
さらに、本発明の請求項３記載に係る発明は、前記映像記録機に映像出力端子を備えるとともに、前記乗かご内に映像入力端子を有する他の表示手段を設け、前記多心平型移動ケーブルに併設される他の映像信号伝送線の一端を前記映像出力端子、その他端を前記映像入力端子に接続し、前記映像記録機から前記映像信号を前記他の表示手段に伝送する構成になっている。
【００１７】
本発明の請求項３に係る発明によれば、一旦、乗かご側から映像信号伝送線を介して映像記録機に伝送された映像信号は、この映像記録機から他の映像信号伝送線を介して乗かご内に備えられる他の表示手段に伝送される。このとき他の映像信号伝送線は前述した映像信号伝送線と同様、その編組遮蔽線に映像出力端子側のグラウンドおよび映像入力端子側のグラウンドが接続されるとともに、絶縁被覆線心に映像出力端子および映像入力端子が接続され、かつ他の線心は未接続とされる。これにより擬似的な同軸ケーブルが形成されインバータノイズ、すなわちコモンモードノイズは編組遮蔽線で遮蔽されて絶縁被覆線心へ誘導されることがなく良好なＳＮ比が得られる。
【００１８】
【発明の実施の形態】
以下、本発明のエレベータの乗かご内防犯カメラ装置の実施の形態を図に基づいて説明する。
【００１９】
図１は本発明のエレベータの乗かご内防犯カメラ装置の一実施形態を示す構成図である。なお、本実施形態の乗かご内防犯カメラ装置は前述した図７ないし図１０に示すものと同等の構成を有しているのでこれらの図を参照して説明する。
【００２０】
本実施形態の乗かご内防犯カメラ装置は図７に示すように、乗かご１に設置され映像出力端子を有するカメラ２と、制御盤３が設けられる昇降路４上部の機械室５に配設され映像入力端子を有する映像記録機６とを備え、カメラ２から映像信号を複数の伝送線が併設された多心平型移動ケーブル７を介して映像記録機６に伝送する。
【００２１】
前記の多心平型移動ケーブル７は図８に示すように、集合心８と映像信号を伝送するツイストペア線９が併設されており、このツイストペア線９は図８ないし図１０に示すように、導体９０、絶縁体９１を備えた絶縁被覆線心９ａ１、絶縁被覆線心９ａ１と撚り合わされる他の線心、すなわち絶縁被覆線心９ａ２、絶縁被覆線心９ａ１、９ａ２を覆う編組遮蔽線９ｂ、編組遮蔽線９ｂの外周を覆う被覆９ｃから成っている。なお、前記の導体９０は、集合心８を構成する絶縁被覆線の導体と同じ0.75平方mmの太さ寸法が好ましいとともに、前記の絶縁体９１は高周波における誘電率の安定性を考慮するとポリエチレンが好ましい。また、前記の絶縁被覆線心９ａ１、９ａ２と編組遮蔽線９ｂ間の特性インピーダンスは７５Ωが望ましく、これは絶縁被覆線心９ａ１、９ａ２の絶縁体９１の厚さ寸法、撚り合わせ間隔で調整することができる。
【００２２】
そして、本実施形態の乗かご内防犯カメラ装置は図１に示すように、映像出力端子、すなわち送信バッファ２ａ側のグラウンド２ｂがコネクタ２０を介して編組遮蔽線９ｂの一端に接続されるとともに、映像入力端子、すなわち受信バッファ６ａ側のグラウンド６ｂがコネクタ２１を介して編組遮蔽線９ｂの他端に接続され、かつ送信バッファ２ａがコネクタ２０を介して絶縁被覆線心９ａ１の一端に接続されるとともに、受信バッファ６ａがコネクタ２１を介して絶縁被覆線心９ａ１の他端に接続され、また他の線心である絶縁被覆線心９ａ２が未接続とされる。なお、コネクタ２０、２１には、絶縁被覆線心９ａ１、絶縁被覆線心９ａ２、編組遮蔽線９ｂ用のそれぞれのピンが備えられるが、絶縁被覆線心９ａ２のピンを未接続とすることで、所望の接続構成を得る。
【００２３】
このように構成した実施形態では、擬似的な同軸ケーブルが形成されインバータノイズ、すなわちコモンモードノイズは編組遮蔽線９ｂで遮蔽されて絶縁被覆線心９ａ１へ誘導されることがなく良好なＳＮ比が得られる。したがって優れた屈曲性をもつ撚り合せ構造の伝送線を映像信号伝送線として用いても耐ノイズ性を確保することができ、画像品質の高い乗かご内防犯カメラ装置とすることができる。
【００２４】
なお、映像記録機６に映像出力端子を備えるとともに、乗かご１内に映像入力端子を有する図示しない他の表示手段を設け、図８に示す多心平型移動ケーブル７に併設されるツイストペア腺１９の一端を映像出力端子、その他端を映像入力端子に接続し、映像記録機６から映像信号を他の表示手段に伝送するようにしてもよい。この場合、一旦、乗かご１側からツイストペア腺９を介して映像記録機６に伝送された映像信号は、この映像記録機６から他のツイストペア腺１９を介して乗かご１内に備えられる他の表示手段に伝送される。このとき他のツイストペア腺１９は前述したツイストペア腺９と同様、その編組遮蔽線が映像出力端子側のグラウンドおよび映像入力端子側のグラウンドのそれぞれに接続されるとともに、絶縁被覆線心が映像出力端子および映像入力端子のそれぞれに接続され、かつ絶縁被覆線心と撚り合わされる他の線心は未接続とされる。これにより擬似的な同軸ケーブルが形成されインバータノイズ、すなわちコモンモードノイズは編組遮蔽線で遮蔽されて絶縁被覆線心へ誘導されることがなく良好なＳＮ比が得られる。
【００２５】
図２は本発明のエレベータの乗かご内防犯カメラ装置の他の実施形態を示す構成図、図３は乗かご内防犯カメラ装置の主要構成を示す構成図、図４は乗かご内防犯カメラ装置に用いられる多心平型ケーブルの断面図、図５は多心平型ケーブルに備えられる映像信号伝送線の拡大断面図、図６は映像信号伝送線の構成を示す断面図である。
【００２６】
他の実施形態の乗かご内防犯カメラ装置は図３に示すように、乗かご３０に設置されるカメラ３１と、乗かご３０上部に設置され映像出力端子を有する映像記録機３２と、その上部に制御盤３３が設けられる機械室３４を備えた昇降路３５外に配設され映像入力端子を有する表示手段、例えば映像モニタ３６とを備え、映像記録機３２から映像信号を複数の伝送線が併設された多心平型移動ケーブル３７を介して映像モニタ３６に伝送する。
【００２７】
前記の多心平型移動ケーブル３７には図４に示すように、給電線や他の一般信号線が割付けられる集合心３８と、映像信号を伝送する映像信号伝送線３９とが併設されている。
【００２８】
また、前記の映像信号伝送線３９は、図５に示すように導体３９ａ１およびこの導体３９ａ１を覆う絶縁体３９ａ２を備えた絶縁被覆線心３９ａを有しているとともに、図４、６に示すように、絶縁被覆線心３９ａと撚り合わされる他の線心、すなわち撚り合わせ補助線心３９ｂと、これら撚り合わされた絶縁被覆線心３９ａおよび撚り合わせ補助線心３９ｂを覆う編組遮蔽線３９ｃと、この編組遮蔽線３９ｃの外周を覆う保護用の被覆３９ｄとから成っている。なお、前記の撚り合わせ補助線心３９ｂは絶縁被覆線心３９ａとの撚り合わせ状態を保持するために必要な硬度を持った、例えば絶縁体から成っている。また、絶縁被覆線心３９ａと撚り合わせ補助線心３９ｂ間の特性インピーダンスは７５Ωが望ましく、これは絶縁被覆線心３９ａの絶縁体３９ａ２の厚さ寸法、撚り合わせ補助線心３９ｂの太さ寸法、絶縁被覆線心３９ａと撚り合わせ補助線心３９ｂの撚り合わせ間隔で調整することができる。
【００２９】
そして、他の実施形態の乗かご内防犯カメラ装置は図２に示すように、
映像出力端子、すなわち送信バッファ３２ａ側のグラウンド３２ｂがコネクタ４０を介して編組遮蔽線３９ｃの一端に接続されるとともに、映像入力端子、すなわち受信バッファ３６ａ側のグラウンド３６ｂがコネクタ４１を介して編組遮蔽線３９ｃの他端に接続され、かつ送信バッファ３２ａがコネクタ４０を介して絶縁被覆線心３９ａの一端に接続されるとともに、受信バッファ３６ａがコネクタ４１を介して絶縁被覆線心３９ａの他端に接続され、また他の線心である絶縁被覆線心３９ｂが未接続とされる。なお、コネクタ４０、４１には、絶縁被覆線心３９ａ、撚り合わせ補助線心３９ｂ、編組遮蔽線３９ｃ用のそれぞれのピンが備えられるが、撚り合わせ補助線心３９ｂのピンを未接続とすることで、所望の接続構成を得る。
【００３０】
このように構成した他の実施形態では、前述した実施形態と同様に、擬似的な同軸ケーブルが形成されインバータノイズ、すなわちコモンモードノイズは編組遮蔽線３９ｃで遮蔽されて絶縁被覆線心３９ａへ誘導されることがなく良好なＳＮ比が得られる。したがって優れた屈曲性をもつ撚り合せ構造の伝送線を映像信号伝送線として用いても耐ノイズ性を確保することができ、画像品質の高い乗かご内防犯カメラ装置とすることができる。
【００３１】
【発明の効果】
本発明の請求項１ないし請求項３に係る発明によれば、映像信号伝送線の編組遮蔽線を映像出力端子側および映像入力端子側のグラウンドに接続するとともに、絶縁被覆線心を映像出力端子および映像入力端子に接続し、かつ絶縁被覆線心と撚り合わされる他の線心を未接続とすることより擬似的な同軸ケーブルが形成されインバータノイズ、すなわちコモンモードノイズが編組遮蔽線で遮蔽されて絶縁被覆線心へ誘導されることがなく良好なＳＮ比が得られる。したがって優れた屈曲性をもつ撚り合せ構造の伝送線を映像信号伝送線として用いても耐ノイズ性を確保し、映像品質の高い乗かご内防犯カメラ装置を実現することができる。
【図面の簡単な説明】
【図１】本発明のエレベータの乗かご内防犯カメラ装置の一実施形態を示す構成図である。
【図２】本発明のエレベータの乗かご内防犯カメラ装置の他の実施形態を示す構成図である。
【図３】乗かご内防犯カメラ装置の主要構成を示す構成図である。
【図４】乗かご内防犯カメラ装置に用いられる多心平型ケーブルの断面図である。
【図５】多心平型ケーブルに備えられる映像信号伝送線の拡大断面図である。
【図６】映像信号伝送線の構成を示す断面図である。
【図７】エレベータの乗かご内防犯カメラ装置の主要構成を示す構成図である。
【図８】乗かご内防犯カメラ装置に用いられる多心平型ケーブルの断面図である。
【図９】多心平型ケーブルに備えられるツイストペア線の拡大断面図である。
【図１０】ツイストペア線の構成を示す断面図である。
【図１１】従来のツイストペア線の接続を示す構成図である。
【符号の説明】
１、３０  乗かご
２、３１  カメラ
２ａ、３２ａ  送信バッファ（映像出力端子）
２ｂ、３２ｂ  グラウンド
６、３２  映像記録機
６ａ、３６ａ  受信バッファ（映像入力端子）
６ｂ、３６ｂ  グラウンド
７、３７  多心平型ケーブル
９、１９  ツイストペア腺
９ａ１、３９ａ  絶縁被覆線心
９ａ２  絶縁被覆線心（他の線心）
９ｂ、３９ｃ  編組遮蔽線
９ｃ、３９ｄ  被覆
１０、１１、４０、４１  コネクタ
３６  映像モニタ（表示手段）
３９  映像信号伝送線
３９ｂ  撚り合わせ補助線心（他の線心）
【図１】
2004189466.tif 000003
【図２】
2004189466.tif 000004
【図３】
2004189466.tif 000005
【図４】
2004189466.tif 000006
【図５】
2004189466.tif 000007
【図６】
2004189466.tif 000008
【図７】
2004189466.tif 000009
【図８】
2004189466.tif 000010
【図９】
2004189466.tif 000011
【図１０】
2004189466.tif 000012
【図１１】
2004189466.tif 000013